【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
所定数の遊技球を遊技機内に封入し、これら封入された遊技球を弾発して遊技盤の遊技領域中に発射する弾発装置と、発射位置に遊技球を１個ずつ送る球送り装置と、該遊技盤に設けられた入賞口に入賞した遊技球及び該入賞口に入賞せずに遊技盤表面下部のアウト口に流入した遊技球を前記球送り装置へ送る流路とを備え、前記封入された遊技球が前記遊技領域および前記流路を通って循環される弾球遊技機において、
前記封入された遊技球を研磨する研磨装置を前記流路の近傍に着脱可能に設け、
前記流路には、
遊技球を前記研磨装置へ排出可能な排出部と、遊技球が前記研磨装置から進入可能な進入部と、前記研磨装置の取り付け取り外し時に、球がこぼれるのを防止する球こぼれ防止手段と、を備え、
前記研磨装置は、
前記排出部からの遊技球が導入される導入口と、前記流路の進入部へ遊技球を進入させる排出口と、前記導入口から遊技球を導入して前記排出口から排出可能な流入経路と、遊技球を該流入経路上で研磨する研磨手段と、前記導入口の外周部に沿って外方に突出した導入片と、を有し、
前記球こぼれ防止手段は、
前記流路に沿った配置でバネ材を介して取り付けられ、前記排出部の一部を遮断して、遊技球が外部へ排出されないようにするシャッター部材であり、
前記シャッター部材は、
前記研磨装置の非装着時には、遮断することにより前記流路と一体になって遊技球を該流路の上流側から下流側に送り、前記研磨装置の装着時には、該研磨装置の導入片に押されて、前記排出部の遮断を解いて、前記研磨装置の導入口への遊技球の排出を妨害しないようにすることを特徴とする弾球遊技機。
【手続補正２】
【補正対象書類名】明細書
【補正対象項目名】００１１
【補正方法】変更
【補正の内容】
【００１１】
【課題を解決するための手段】
上記課題を解決するため、
請求項１記載の発明は、所定数の遊技球を遊技機内に封入し、これら封入された遊技球を弾発して遊技盤の遊技領域中に発射する弾発装置と、発射位置に遊技球を１個ずつ送る球送り装置と、該遊技盤に設けられた入賞口に入賞した遊技球及び該入賞口に入賞せずに遊技盤表面下部のアウト口に流入した遊技球を前記球送り装置へ送る流路とを備え、前記封入された遊技球が前記遊技領域および前記流路を通って循環される弾球遊技機において、
前記封入された遊技球を研磨する研磨装置を前記流路の近傍に着脱可能に設け、
前記流路には、
遊技球を前記研磨装置へ排出可能な排出部と、遊技球が前記研磨装置から進入可能な進入部と、前記研磨装置の取り付け取り外し時に、球がこぼれるのを防止する球こぼれ防止手段と、を備え、
前記研磨装置は、
前記排出部からの遊技球が導入される導入口と、前記流路の進入部へ遊技球を進入させる排出口と、前記導入口から遊技球を導入して前記排出口から排出可能な流入経路と、遊技球を該流入経路上で研磨する研磨手段と、前記導入口の外周部に沿って外方に突出した導入片と、を有し、
前記球こぼれ防止手段は、
前記流路に沿った配置でバネ材を介して取り付けられ、前記排出部の一部を遮断して、遊技球が外部へ排出されないようにするシャッター部材であり、
前記シャッター部材は、
前記研磨装置の非装着時には、遮断することにより前記流路と一体になって遊技球を該流路の上流側から下流側に送り、前記研磨装置の装着時には、該研磨装置の導入片に押されて、前記排出部の遮断を解いて、前記研磨装置の導入口への遊技球の排出を妨害しないようにする構成とした。


【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、上記球こぼれ防止手段により、研磨装置の取り付け取り外し時に流路からの遊技球のこぼれが防止されるので、流路に遊技球が流れている時、即ち、弾球遊技機で遊技が行われている最中であっても、研磨装置の取り付け取り外しが可能となる。従って、遊技中の研磨装置を交換する場合でも、遊技者に遊技を一旦中断させるといった煩わしさを与えずに交換することが可能となる。


【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】０１２０
【補正方法】変更
【補正の内容】
【０１２０】
なお、研磨装置４００ｆの取付けは、例えば、ネジ止着による着脱可能な取付け、係止爪を有する係止片を該係止爪を掛け止め可能な係合部に挿入することで取り付けられる着脱可能な取付け、ビス止による着脱可能な取付け、或いは、所謂ナイラッチなどのワンタッチで取付け取り外し可能な取付けなど、様々な形式が適用可能である。
また、上記交換時期検出手段の検出方法は、研磨装置が取り付けられている延べの時間をカウントして所定時間に達したことで検出する方法、研磨装置の流入経路を通過した遊技球の個数をカウントして所定個に達したことで検出する方法、遊技球を研磨する研磨手段の表面を検査して検出する方法（例えば光を当てて反射光や透過光の光量で検出する方法）、長い帯状の研磨部材を２つのロールに巻き付けて一方から他方のロールに送りながら研磨する研磨手段の場合、ロールに巻き付いた研磨部材の厚みにより検出する方法、帯状の研磨部材の終端近辺に検出可能な印を設けておきこの印により検出する方法など、種々の検出方法が可能である。報知手段は、ランプ、表示装置、音響装置および動作体などによる点灯報知、映像又は文字出力、音或いは音声出力、並びに、動作駆動などにより可能である。報知手段が設けられる箇所は、弾球遊技機の正面側、裏面側、および、その周辺、島設備の任意箇所、外部で弾球遊技機を管理する管理装置など、その場所は限定されるものではない。
また、上記第１電気的接続部と第２電気的接続部とで接続される配線内容は、電源供給線、検出手段からの検出出力線、並びに、データ信号を送受信するデータ信号線など、その内容には限定されるものではない。
【手続補正２２】
【補正対象書類名】明細書
【補正対象項目名】０１２２
【補正方法】削除
【補正の内容】
【手続補正２３】
【補正対象書類名】明細書
【補正対象項目名】０１２３
【補正方法】変更
【補正の内容】
【０１２３】
また、球こぼれ防止手段により、研磨装置の取り付け取り外し時に流路からの遊技球のこぼれが防止されるので、流路に遊技球が流れている時、即ち、弾球遊技機で遊技が行われている最中であっても、研磨装置の取り付け取り外しが可能となる。従って、遊技中の研磨装置を交換する場合でも、遊技者に遊技を一旦中断させるといった煩わしさを与えずに交換することが可能となる。


【手続補正２４】
【補正対象書類名】明細書
【補正対象項目名】０１２４
【補正方法】削除
【補正の内容】
【手続補正２５】
【補正対象書類名】明細書
【補正対象項目名】０１２５
【補正方法】削除
【補正の内容】
【手続補正２６】
【補正対象書類名】明細書
【補正対象項目名】０１２６
【補正方法】削除
【補正の内容】
【手続補正２７】
【補正対象書類名】明細書
【補正対象項目名】０１２７
【補正方法】削除
【補正の内容】
【手続補正２８】
【補正対象書類名】明細書
【補正対象項目名】０１２８
【補正方法】削除
【補正の内容】